(57)【要約】      （修正有）【課題】シンプルな構造でＰＴＰシートを容易に包装することができ、優れたチャイルドレジスタンス性を有したＰＴＰ用包装体を提供する。【解決手段】台紙１２は、板状の内可動部ＵＫを形成するための第一及び第二の内板１６，１８と、２つの外面から成る外筒体ＳＴを形成するための外板３２，３４，３６と、内可動部を外筒体に連結するための連結部４８とを備える。組み立て状態で、外筒体内に内可動部が収容され、内可動部の摘み部ＴＢを形成する第一、第二の摘み片２２，３０が外筒体の内可動部挿通孔４４から露出する。ＰＴＰシートは、突出部が外筒体の外側透孔３８及び内可動部の第一の内側透孔２０を通じて外側に突出し、フランジ部及び薄形シートが第一及び第二内板１６，１８に挟まれて保持され、閉鎖部分が内可動部の第二の内側透孔２８に対向する。【選択図】図２
0003206243.tif 000002
【実用新案登録請求の範囲】
【請求項１】
収容物を内側に収容した突出部と前記突出部の周囲に設けられたフランジ部とを有するプラスチック成形体に、破断可能な薄形シートが貼り付けられて前記突出部の開口端が閉鎖されたＰＴＰシートを包装するためのＰＴＰ用包装体において、
１枚の台紙から成り、前記台紙は、内折罫線を介して互いに連続し、組み立て状態で板状の内可動部を形成する第一及び第二の内板と、互いに平行に連接され、組み立て状態で、第一及び第二の外面から成る外筒体を形成する複数の外板と、前記内可動部を、前記外筒体に連結する連結部とを有し、
前記第一の内板の内側に、前記突出部が係合可能な大きさの第一の内側透孔が設けられ、前記第二の内板の内側に、前記薄形シートの、前記突出部の開口端を塞いでいる閉鎖部分に対応した大きさの第二の内側透孔が設けられ、前記複数の外板の中の１つであって、前記第一の外面となる第一の外板の内側に、前記突出部が係合可能な大きさの外側透孔が設けられ、前記第一の外板の隣に連設された前記外板であって、前記第二の外面の一部となる第二の外板は、第一の外折罫線により前記第一の外板と区切られ、この第一の外折罫線と重なる位置に、前記内可動部を挿通可能な大きさの内可動部挿通孔が設けられ、
組み立て状態で、前記第一の内板は、前記内折罫線が折れて前記第二の内板に重なり、間に前記ＰＴＰシートを配して、当該ＰＴＰシートに対面しない部分が前記第二内板に糊付けされ、前記第二の内板と一体になって前記内可動部を形成し、
前記内可動部は、前記外筒体の内側に収容されて、前記連結部を介して前記外筒体に連続し、前記内可動部の前記第一の内側透孔が前記第一の外板の前記外側透孔と連通し、前記内可動部の特定部分が摘み部となって前記内可動部挿通孔の外側に露出し、
前記ＰＴＰシートは、前記突出部が前記外側透孔及び前記第一の内側透孔を通じて外側に突出し、前記フランジ部及び前記薄形シートが前記第一の内板及び第二の内板に挟まれて保持され、前記閉鎖部分が前記第二の内側透孔に対向し、
使用者が、前記外筒体の両側端部を近づける方向に力を加えると、前記第一及び第二の外面が外側に広がって、前記突出部と前記外側透孔との係合が解除され、前記内可動部挿通孔から露出している前記摘み部を引っ張ると、前記内可動部は、前記内可動部挿通孔を通じて前記外筒体の外側に引き出され、前記第一の内側透孔及び前記突出部と、前記第二の内側透孔及び前記閉鎖部分とが露出することを特徴とするＰＴＰ用包装体。
【請求項２】
少なくとも前記第一又は第二の内板の端部に、第一の補助折罫線で区切られた係合舌片が延設され、
使用者が、前記外筒体の両側端部を近づける方向に力を加え、前記第一及び第二の外面が外側に広がったとき、前記係合舌片が前記内可動部挿通孔から突出し、前記内可動部挿通孔の内周縁に係合することによって、前記内可動部が前記外筒体の外側に引き出される動作が妨げられ、
使用者が、前記第一の補助折罫線で前記係合舌片を折って前記内可動部挿通孔の内側に収めると、前記係合舌片と前記内可動部挿通孔との係合を解除され、前記内可動部を前記外筒体の外側に引き出すことができる請求項１記載のＰＴＰ用包装体。
【請求項３】
前記第一及び第二の外板の内側に、前記第一の折罫線と対向する第二の補助折罫線が一対に設けられ、
使用者が前記外筒体の両側端部を近づける方向に力を加えたとき、前記第二の補助折罫線が折れて、前記第一及び第二の外板が外向きに屈曲して広がる請求項１又は２記載のＰＴＰ用包装体。
【請求項４】
前記連結部の内側に第三の補助折罫線が設けられ、
使用者が前記摘み部を引っ張って前記内可動部が移動したとき、前記連結部の変形のしかたが、前記第三の補助折罫線によって制御される請求項１乃至３のいずれか記載のＰＴＰ用包装体。
【考案の詳細な説明】
【技術分野】
【０００１】
本考案は、医療用の薬剤等を収容したＰＴＰシートの包装に使用されるＰＴＰ用包装体に関する。
【背景技術】
【０００２】
ＰＴＰシートは、従来から、医療用の薬剤等を収容する用途に広く使用されている。例えば、図９に示すＰＴＰシート１は、突出部２ａと突出部２ａの周囲に設けられたフランジ部２ｂとを有した透明又は半透明のプラスチック成形体２と、破断可能なアルミ箔等で成る薄形シート３とで構成され、プラスチック成形体２のフランジ部２ｂに薄形シート３を貼り付けることによって、収容物Ｓが入った突出部２ａの開口端を閉鎖している。突出部２ａの頂部を外側から指で押し込むと、薄形シート３の閉鎖部分３ａが収容物Ｓに押されて破断し、収容物Ｓが外に押し出され、収容物Ｓを取り出すことができる。ＰＴＰシート１は複数の突出部２ａを有するタイプで、外形は、例えば約４ｃｍ×１０ｃｍである。
【０００３】
従来から、子供による薬剤の誤飲を防止等するため、ＰＴＰシートを所定の包装体で包装し、ＰＴＰシート内の薬剤を不用意に取り出しにくくする技術（チャイルドレジスタンス性を付与する技術）が提案されている。例えば、特許文献１の図１３〜図１８に開示されているように、大きい窓部を有し窓部の内周縁部に所定の係止片が形成された表面パネルと、薬剤取り出し孔が形成された背面パネルとが、折罫線で区切られて連続する台紙から成るＰＴＰホルダがあった。このＰＴＰホルダは、表面パネルと背面パネルの間にＰＴＰシートを挟み、表面パネルの窓部からＰＴＰシートの突出部を突出させ、ＰＴＰシートをスライド可能にして、表面パネルと背面パネルが互いに糊付けされる。例えば、小さい子供がＰＴＰホルダを手に持ってＰＴＰシートをスライドさせたとしても、フランジ部の側端面が係止片の端面に係止され、閉鎖部分が薬剤取り出し孔の位置まで移動しないので、薬剤を取り出すことはできない。薬剤を取り出すときは、フランジ部が係止片に乗り上げるようにＰＴＰシートをスライドさせるという特別な操作を行い、閉鎖部分を薬剤取り出し孔の位置まで移動させると、突出部の頂部を外側から指で押し込むことによって、薬剤取り出し孔を通じて薬剤を取り出すことができる。
【先行技術文献】
【特許文献】
【０００４】
【特許文献１】特開２０１６−８８５３３号公報
【考案の概要】
【考案が解決しようとする課題】
【０００５】
特許文献１のＰＴＰホルダは、表面パネルの係止片の端面が、ＰＴＰシートのフランジ部の端面に対するストッパの働きをする構造なので、ＰＴＰシートのフランジ部の厚み（薄形シートの厚みを含む）が変更になると、都度、適切な厚みの台紙を用意しなければならない。
【０００６】
また、例えば、台紙として一般的な厚紙等を使用した場合、係止片の端面にプラスチック製のフランジ部が何回か衝突すると、係止片が摩耗したり変形したりするので、ストッパの働きができなくなり、チャイルドレジスタンス性が著しく低下してしまうおそれがある。
【０００７】
本考案は、上記背景技術に鑑みて成されたものであり、ＰＴＰシートを容易に包装することができ、優れたチャイルドレジスタンス性を有したＰＴＰ用包装体を提供することを目的とする。
【課題を解決するための手段】
【０００８】
本考案は、収容物を内側に収容した突出部と前記突出部の周囲に設けられたフランジ部とを有するプラスチック成形体に、破断可能な薄形シートが貼り付けられて前記突出部の開口端が閉鎖されたＰＴＰシートを包装するためのＰＴＰ用包装体であって、
１枚の台紙から成り、前記台紙は、内折罫線を介して互いに連続し、組み立て状態で板状の内可動部を形成する第一及び第二の内板と、互いに平行に連接され、組み立て状態で、第一及び第二の外面から成る外筒体を形成する複数の外板と、前記内可動部を、前記外筒体に連結する連結部とを有し、
前記第一の内板の内側に、前記突出部が係合可能な大きさの第一の内側透孔が設けられ、前記第二の内板の内側に、前記薄形シートの、前記突出部の開口端を塞いでいる閉鎖部分に対応した大きさの第二の内側透孔が設けられ、前記複数の外板の中の１つであって、前記第一の外面となる第一の外板の内側に、前記突出部が係合可能な大きさの外側透孔が設けられ、前記第一の外板の隣に連設された前記外板であって、前記第二の外面の一部となる第二の外板は、第一の外折罫線により前記第一の外板と区切られ、この第一の外折罫線と重なる位置に、前記内可動部を挿通可能な大きさの内可動部挿通孔が設けられ、
組み立て状態で、前記第一の内板は、前記内折罫線が折れて前記第二の内板に重なり、間に前記ＰＴＰシートを配して、当該ＰＴＰシートに対面しない部分が前記第二内板に糊付けされ、前記第二の内板と一体になって前記内可動部を形成し、
前記内可動部は、前記外筒体の内側に収容されて、前記連結部を介して前記外筒体に連続し、さらに、前記内可動部の前記第一の内側透孔が前記第一の外板の前記外側透孔と連通し、前記内可動部の特定部分が摘み部となって前記内可動部挿通孔の外側に露出し、
前記ＰＴＰシートは、前記突出部が前記外側透孔及び前記第一の内側透孔を通じて外側に突出し、前記フランジ部及び前記薄形シートが前記第一の内板及び第二の内板に挟まれて保持され、前記閉鎖部分が前記第二の内側透孔に対向し、
使用者が、前記外筒体の両側端部を近づける方向に力を加えると、前記第一及び第二の外面が外側に広がって、前記突出部と前記外側透孔との係合が解除され、前記内可動部挿通孔から露出している前記摘み部を引っ張ると、前記内可動部は、前記内可動部挿通孔を通じて前記外筒体の外側に引き出され、前記第一の内側透孔及び前記突出部と、前記第二の内側透孔及び前記閉鎖部分とが露出するＰＴＰ用包装体である。
【０００９】
その後、使用者が、前記外側透孔から外側に突出している前記突出部の頂部を押し込み、前記ＰＴＰシートの前記閉鎖部分を破断させると、前記第二内側透孔を通じて前記収容物を取り出すことができる。
【００１０】
また、少なくとも前記第一又は第二の内板の端部に、第一の補助折罫線で区切られた係合舌片が延設され、使用者が、前記外筒体の両側端部を近づける方向に力を加え、前記第一及び第二の外面が外側に広がったとき、前記係合舌片が前記内可動部挿通孔から突出し、前記内可動部挿通孔の内周縁に係合することによって、前記内可動部が前記外筒体の外側に引き出される動作が妨げられ、使用者が、前記第一の補助折罫線で前記係合舌片を折って前記内可動部挿通孔の内側に収めると、前記係合舌片と前記内可動部挿通孔との係合を解除され、前記内可動部を前記外筒体の外側に引き出すことができる構成にしてもよい。
【００１１】
さらに前記第一及び第二の外板の内側に、前記第一の折罫線と対向する第二の補助折罫線が一対に設けられ、使用者が前記外筒体の両側端部を近づける方向に力を加えたとき、前記第二の補助折罫線が折れて、前記第一及び第二の外板が外向きに屈曲して広がる構成にしてもよい。さらに、前記連結部の内側に第三の補助折罫線が設けられ、使用者が前記摘み部を引っ張って前記内可動部が移動したとき、前記連結部の変形のしかたが、前記第三の補助折罫線によって制御される構成にしてもよい。
【考案の効果】
【００１２】
本考案のＰＴＰ用包装体は、一枚の台紙を組み立てることによって、ＰＴＰシートを容易に包装することができる。しかも、非常に優れたチャイルドレジスタンス性を有し、小さい子供にとっては難しく、大人にとっては簡単な操作により、ＰＴＰシート内の収容物を容易に取り出すことができる。
【図面の簡単な説明】
【００１３】
【図１】本考案のＰＴＰ用包装体の一実施形態の組み立て状態を示す正面図（ａ）、背面図（ｂ）、拡大底面図（ｃ）である。
【図２】この実施形態のＰＴＰ用包装体を形成する台紙を表面側から見た展開図である。
【図３】この実施形態のＰＴＰ用包装体の組み立て工程を順に示す平面図（ａ）、（ｂ）である。
【図４】この実施形態のＰＴＰ用包装体の組み立て工程を順に示す平面図（ａ）、（ｂ）である。
【図５】この実施形態のＰＴＰ用包装体の組み立て工程を順に示す平面図（ａ）、（ｂ）である。
【図６】この実施形態のＰＴＰ包装体から収容物を取り出すための動作を示す正面図（ａ）、背面図（ｂ）、拡大底面図（ｃ）である。
【図７】この実施形態のＰＴＰ包装体から収容物を取り出すための動作を示す正面図（ａ）、背面図（ｂ）、拡大底面図（ｃ）である。
【図８】この実施形態のＰＴＰ包装体から収容物を取り出すための動作を示す正面図（ａ）、背面図（ｂ）である。
【図９】一般的なＰＴＰシートの一例を示す正面図（ａ）、Ａ−Ａ断面図（ｂ）である。
【考案を実施するための形態】
【００１４】
以下、本考案のＰＴＰ用包装台紙の第一の実施形態について、図面に基づいて説明する。この実施形態のＰＴＰ用包装体１０は、図９に示すＰＴＰシート１を包装するための包装体であり、図１（ａ）、（ｂ）、（ｃ）に示すように、組み立て状態で、略長方形のカードのような外形になる。大きさは、例えば８ｃｍ×１５ｃｍ程度である、
ＰＴＰ用包装体１０は、厚紙等で成る一枚の台紙１２を組み立てることによって形成される。台紙１２は、図２に示すように、内折罫線１４を介して互いに連続し、組み立て状態で、板状の内可動部ＵＫを形成する第一及び第二の内板１６，１８を備えている。
【００１５】
第一の内板１６は略四角形で、中央部に、ＰＴＰシート１の突出部２ａが係合可能な大きさの第一の内側透孔２０が設けられている。第一の内板１６の、内折罫線１４と反対側の端部は、片端が略矩形に膨出した第一の摘み片２２になっており、他端には、係合舌片２４が延設され、第一の補助折罫線２６で第一の内板１６と区切られている。
【００１６】
第二の内板１８は、内折罫線１４を軸にして第一の内板１６と略線対称な外形で、中央部に、ＰＴＰシート１の薄形シート３の、突出部２ａの開口端を塞いでいる閉鎖部分３ａに対応した大きさの第二の内側透孔２８が設けられている。第二の内板１８の、内折罫線１４と反対側の端部は、片端が上記の第一の摘み片２２とほぼ同形状の第二の摘み片３０になっている。
【００１７】
また、台紙１２は、互いに平行に連接され、組み立て状態で、第一及び第二の外面から成る外筒体ＳＴを形成する３つの外板３２，３４，３６を備えている。外板３２，３４，３６は、連接方向の長さがほぼ等しく、端にある外板３６の連接方向の端部が少し狭くなっている。
【００１８】
真ん中に位置する第一の外板３２は、組み立て状態で、外筒体ＳＴの第一の外面となる外板で、中央部に、ＰＴＰシート１の突出部２ａが係合可能な大きさの外側透孔３８が設けられている。
【００１９】
第一の外板３２の隣に連接された第二及び第三の外板３４，３６は、組み立て状態で、互いに重なって糊付けされ、外筒体ＳＴの第二の外面となる外板である。第二の外板３４は第一の外折罫線４０で第一の外板３２と区切られ、第三の外板３６は第二の外折罫線４２で第一の外板３２と区切られている。第一及び第二の外板３２，３４の内側の、第一の外折罫線４０と重なる位置には、後述する内可動部ＵＫを挿通可能な大きさの透孔である内可動部挿通孔４４が設けられている。以下、内可動部挿通孔４４によって２つに分割された第一の外折罫線４０を、第一の外折罫線４０(1)及び第一の外折罫線４０ｂ(2)と表して区別する。
【００２０】
前記第一及び第二の外板３２，３４の内側の、第一の外折罫線４０(1)の近傍には、第一の外折罫線４０(1)と平行な第二の補助折罫線４６が一対に設けられている。
【００２１】
第三の外板３６の連接方向の端部には、略四角形の連結部４８が延設され、折罫線５０で第三の外板３６と区切られている。連結部４８の延出方向長さは、第三の外板３６の連接方向長さより短い。また、連結部４８の、延出方向と交差する一端部は、第二の内板１８の、内折罫線１４と交差する一端部（第二の摘み片３０と反対側の端部）に連続し、折罫線５２で第二の内板１８と区切られている。連結部４８は、組み立て状態で、後述する内可動部ＵＫの端部を外筒体ＳＴに連結する働きをする部分である。連結部４８の折罫線５２側の端部は、反対側の端部よりも延出方向長さが少し長くなっており、この部分に、互いに異なる角度に配された複数の折罫線である第三の補助折罫線５４が設けられている。
【００２２】
次に、台紙１２を用いたＰＴＰシート１の包装方法、すなわち、ＰＴＰ用包装体１０の組み立て方法の一例を説明する。ここで、台紙１２の表面が凸になる折り方を正折り、裏面が凸になる折り方を逆折りと称する。
【００２３】
まず、図３（ａ）に示すように、第三の補助折罫線５４の中の１つを逆折りし、第二の内板１８を連結部４８に重ねる。次に、図３（ｂ）に示すように、第二の内板１８の裏面側の中央部に、ＰＴＰシート１を載置する。このとき、ＰＴＰシート１は、プラスチック成形体２（突出部２ａ、フランジ部２ｂ）を上にして、薄形シート３を第二の内板１８に当接させる。
【００２４】
そして、第二の内板１８の裏面の、ＰＴＰシート１が重なっていない部分に、糊５６を塗布した後、内折罫線１４を正折りして第一の内板１６を第二の内板１８に重ね、互いの裏面同士を糊付けし、第一及び第二の内板１６，１８が一体になった内可動部ＵＫが形成される。この状態で、ＰＴＰシート１は、図４（ａ）に示すように、突出部２ａが第一の内側透孔２０を通じて外側に突出する。また、フランジ部２ｂ及び薄形シート３が第一の内板１６及び第二の内板１８に挟まれて保持され、閉鎖部分３ａが第二の内側透孔２８に対向する。
【００２５】
次に、図４（ｂ）、図５（ａ）に順に示すように、折罫線５０を正折りして第三の外板３６を連結部４８及び第二の内板１８に重ね、第二の外折罫線４２を正折りして第一の外板３２を第一の内板１６に重ねる。この状態で、ＰＴＰシート１の突出部２ａが、外側透孔３８を通じて外側に突出する。そして、第二の外板３４の裏面に糊５８を塗布した後、図５（ｂ）に示すように、第一の外折罫線４０(1)，４０(2)を正折りして第二の外板３４を第三の外板３６の表面に重ね、互いに糊付けする。これで、３つの外板３２，３４，３６が一体になった外筒体ＳＴが形成され、第一の外板３２が外筒体ＳＴの第一の外面となり、第二及び第三の外板３４，３６が外筒体ＳＴの第二の側面となる。内可動部ＵＫは、外筒体ＳＴの内側に収容され、連結部４８を介して外筒体ＳＴに連結された構造になる。
【００２６】
これでＰＴＰシート１の包装の作業が終了し、図１（ａ）、（ｂ）に示すＰＴＰ用包装体１０の組み立て状態になる。ＰＴＰ用包装体１０は、長方形のカードのようなコンパクトな外形になり、内可動部ＵＫの摘み部ＴＢの約4/5の部分と係合舌片２４とが内可動部挿通孔４４から露出する。ＰＴＰシート１の閉鎖部分３ａは、第二の外面（第二及び第三の外板３４，３６）及び連結部４８に覆われているので、例えば、鞄に入れたとき、突出部２ａが外から押圧されても、収容物Ｓが外に出てしまうことはない。
【００２７】
また、組み立て状態のＰＴＰ包装体１０は、小さい子供がいたずらをしようと摘み部ＴＢを側方に引っ張ったとしても、ＰＴＰシート１の突出部２ａが外筒体ＳＴの外側透孔３８に係合し、さらに摘み部ＴＢの先端角部が第一の外折罫線４０(2)の内側部分に引っ掛かるので、内可動部ＵＫを可動部挿通孔４４の外に引き出すことはできず、収容物Ｓを取り出すことができない。
【００２８】
使用者がＰＴＰ用包装体１０から収容物Ｓを取り出すときは、次のような操作を行う。まず、外筒体ＳＴの両側端部を近づける方向に力を加える。具体的には、図６（ａ）、（ｂ）、（ｃ）に示すように、第一の外折罫線４０(1)の部位を、第二の外折罫線４２の方向に押し込む。そうすると、一対の第二の補助折罫線４６が折れて、第一及び第二の外板３２，３４が外向きに屈曲して広がり、ＰＴＰシート１の突出部２ａと外筒体ＳＴの外側透孔３８との係合が解除される。
【００２９】
この状態では、摘み部ＴＢの先端角部が第一の外折罫線４０(2)の内側部分に引っ掛かっているので、内可動部ＵＫを外側に移動させことはできない。さらに、この引っ掛かりを解除するため、摘み部ＴＢを第二の補助折４６の方向に引っ張って内可動部ＵＫを移動させようとしても、内可動部ＵＫの端部に延設された係合設片２４が可動部挿通孔４４を通じて外側に突出しているので、摘み部ＴＢを係合舌片２４の方向に引っ張ったとき、係合舌片２４が可動部挿通孔４４の周縁部４４ａに係止され、図６（ａ）、（ｂ）、（ｃ）に示す状態では、摘み部ＴＢの引っ掛かりが解除される方向に内可動部ＵＫを移動させことはできない。
【００３０】
そこで、内可動部ＵＫを外筒体ＳＴの外側に引き出すには、図７（ａ）、（ｂ）、（ｃ）に示すように、まず、係合舌片２４を第一の補助折罫線２６で約９０度に正折りし、係合舌片２４を可動部挿通孔４４の内側に収めて係合舌片２４と周縁部４４ａとの係合を解除する。その後、摘み部ＴＢを第二の補助折罫線４６の方向に引っ張って内可動部ＵＫを移動させ、摘み部ＴＢと外筒体ＳＴの内側部分との引っ掛かりを解除する。
【００３１】
そして、摘み部ＴＢを側方に引っ張り、内可動部ＵＫを、内可動部挿通孔４４を通じて外筒体ＳＴの外側に引き出す。そうすると、図８（ａ）、（ｂ）に示すように、第一の内側透孔２０及び突出部２ａと、第二の内側透孔２８及び閉鎖部分３ａとが露出した状態になる。そして、ＰＴＰシート１の突出部２ａの頂部を指で押し込んで閉鎖部分３ａを破断させると、第二内側透孔４２を通じて収容物Ｓを取り出すことができる。
【００３２】
必要な収容物Ｓを取り出した後は、上記と逆の手順で内可動部ＵＫを外筒体ＳＴの内側に再び収容し、図１（ａ）、（ｂ）に示す組み立て状態に戻して保管する。
【００３３】
以上説明したように、ＰＴＰ用包装体１０は、一枚の台紙１２を組み立てることによってＰＴＰシート１を容易に包装することができ、薄いカード形のスマートな包装状態が得られる。そして、ＰＴＰシート１に収容された収容物Ｓを、ＰＴＰ用包装体１０内に包装された状態で、外から視認することができる。
【００３４】
組み立て状態のＰＴＰ用包装体１０は、小さい子供がいたずらしても収容物Ｓを簡単には取り出せない。特に、上述したように、内可動部ＵＫを外筒体ＳＴの外側に引き出すためには、ＰＴＰシート１の突出部２ａと外筒体ＳＴの外側透孔３８との係合を解除するための操作（第一の解除操作）と、係合舌片２４と内可動部挿通孔４４の周縁部４４ａとの係合を解除する操作（第二の解除操作）と、摘み部ＴＢの先端角部と外筒体ＳＴの内側部分との引っ掛かりを解除する操作（第三の解除操作）が必要であり、非常に高いチャイルドレジスタンス性を備えている。その一方で、大人であれば、上記の操作を順番に行って簡単に取り出すことができる。
【００３５】
第一及び第二の外板３２，３４の内側に、一対の第二の補助折罫線４６が設けてあるので、使用者が第一の解除操作を行ったとき、第一及び第二の外板３２，３４が外向きに広がる動作が安定かつ適切に行われるように制御される。また、連結部４８の内側に、複数の折罫線で成る第三の補助折罫線５４が設けてあるので、使用者が第三の解除動作を行ったときや、内可動部ＵＫを外筒体ＳＴの外側に引き出す操作を行ったときの連結部４８の変形のしかたが、安定かつ適切に制御される。
【００３６】
なお、本考案のＰＴＰ用包装体は、上記実施形態に限定されるものではない。例えば、ＰＴＰ包装体１０の場合、内可動部ＵＫを外筒体ＳＴの外側に引き出すとき、上記の３つの解除操作（第一、第二、及び第三の解除操作）が必要であるが、例えば、係合設片２４を省略することによって、第二の解除操作を不要にすることができる。また、内可動部挿通孔４４の形状を変更し、組み立て状態で、摘み部ＴＢの先端角部が外筒体ＳＴの内側部分に引っ掛からない構造にすれば、第三の解除操作を不要にすることができる。
【００３７】
内可動部及び外筒部の構成は、上記の独特で特徴的な動作が可能な範囲で適宜変更することができる。また、連結部についても、組み立て状態で、内可動部を外筒体の内側の所定の箇所に連結し、内可動部が移動したときに適切に変形できるものであればよく、上記の連結部４８の構成に限定されない。
【００３８】
その他、台紙は、厚紙以外の素材を使用してもよい。また、ＰＴＰシートに収容される収容物は、医療用の薬剤に限らず他の商品でもよい。
【符号の説明】
【００３９】
１  ＰＴＰシート
２  プラスチック成形体
２ａ  突出部
２ｂ  フランジ部
３  薄形シート
３ａ  閉鎖部分
１０  ＰＴＰ用包装体
１２  台紙
１４  内折罫線
１６  第一の内板
１８  第二の内板
２０  第一の内側透孔
２２  第一の摘み片
２４  係合舌片
２６  第一の補助折罫線
２８第二の内側透孔
３０  第二の摘み片
３２  第一の外板
３４  第二の外板
３６  第三の外板
３８  外側透孔
４０，４０(1)，４０(2)  第一の折罫線
４２  第二の折罫線
４４  内可動部挿通孔
４６  第二の補助折罫線
４８  連結部
５４  第三の補助折罫線
５６，５８  糊
ＳＴ  外筒体
ＴＢ  摘み部
ＵＫ  内可動部
【図１】
0003206243.tif 000003
【図２】
0003206243.tif 000004
【図３】
0003206243.tif 000005
【図４】
0003206243.tif 000006
【図５】
0003206243.tif 000007
【図６】
0003206243.tif 000008
【図７】
0003206243.tif 000009
【図８】
0003206243.tif 000010
【図９】
0003206243.tif 000011